(57)【要約】【課題】  自動改札機にて表示する広告内容に制限がなく、自由度の高い広告を表示することができ、さらに、広告内容の変更を容易に行うことができる。【解決手段】  自動改札機１に利用者に対して通行案内を表示する取出口表示装置１５とは別に投入口表示装置１３を設け、主制御部２１にて乗車券から読み取った情報に基づく通行の可否判定を行ってその判定結果を上記取出口表示装置１５に案内表示するとともに、表示ＣＰＵ２３にてメモリ２３ａに予め記憶されている広告としての表示データを上記投入口表示装置１３に表示するようにしたものである。【選択図】      図２
2006011655.tif 000002
【特許請求の範囲】
【請求項１】
利用者に対する通行の制御を行う通行制御装置において、
広告を表示する第１の表示手段と、
この第１の表示手段とは別に設けられ、利用者に対して通行案内を表示する第２の表示手段と、
利用者が所持している記録媒体に記憶されている情報を読み取る読取手段と、
この読取手段により記録媒体から読み取った情報に基づいて当該利用者の通行の可否を判定し、この判定による判定結果に応じた案内を前記第２の表示手段に表示する制御手段と、
前記第１の表示手段に表示すべき広告の表示データを記憶する記憶手段と、
この記憶手段に記憶されている表示データを前記第１の表示手段に表示する表示制御手段と、を具備し、
前記表示制御手段は、前記制御手段により当該利用者の通行が不可と判断された場合には、前記第１の表示手段に当該利用者に対して通行が不可となった旨の案内を表示することを特徴とする通行制御装置。
【請求項２】
前記記憶手段には、種々の広告の表示データが記憶され、
前記制御手段は、さらに、前記第１の表示手段に表示すべき広告を示す情報を前記表示制御手段に通知し、
前記表示制御手段は、前記制御手段から通知された情報に基づいて前記第１の表示手段に表示する広告の表示データを選択し、選択した表示データを前記第１の表示手段に表示する、ことを特徴とする前記請求項１に記載の通行制御装置。
【請求項３】
前記記憶手段には、利用者の属性に応じた種々の広告の表示データが記憶され、
前記制御手段は、さらに、前記読取手段により記録媒体から読み取った情報に基づいて当該利用者の属性を判定して、当該利用者の属性を示す情報を前記表示制御手段に通知し、
前記表示制御手段は、前記制御手段から通知された利用者の属性を示す情報に基づいて当該利用者の属性に応じた広告の表示データを選択し、選択した表示データを前記第１の表示手段に表示する、ことを特徴とする前記請求項１に記載の通行制御装置。
【請求項４】
利用者に対する通行の制御を行う通行制御装置と前記通行制御装置に通信回線を介して接続されているサーバ装置とを有する広告表示システムにおいて、
前記通行制御装置は、
広告を表示する第１の表示手段と、
この第１の表示手段とは別に設けられ、利用者に対して通行案内を表示する第２の表示手段と、
利用者が所持している記録媒体に記憶されている情報を読み取る読取手段と、
この読取手段により記録媒体から読み取った情報に基づいて当該利用者の通行の可否を判定し、この判定による判定結果に応じた案内を前記第２の表示手段に表示する制御手段と、
前記第１の表示手段に表示すべき広告の表示データが記憶されている記憶手段と、
この記憶手段に記憶されている表示データを前記第１の表示手段に表示する表示制御手段と、
前記サーバ装置から配信される広告の表示データを受信し、前記記憶手段に記憶する更新手段と、を有し、
前記サーバ装置は、
前記通行制御装置にて表示する広告の表示データを前記通行制御装置へ配信する配信手段を有する、
ことを特徴とする通行制御装置の広告表示システム。
【請求項５】
前記サーバ装置は、さらに、所定の手続きに従って前記通行制御装置にて表示する広告の表示データを外部装置から受付ける受付け手段を有し、
前記配信手段は、前記受付け手段により受付けた広告の表示データを前記通行制御装置に配信する、ことを特徴とする通行制御装置の広告表示システム。
【発明の詳細な説明】
【技術分野】
【０００１】
本発明は、例えば、駅の改札口に設置され、利用者が所持する乗車券に記録されている情報に基づいて利用者の通行を制御する自動改札機などの通行制御装置及び通行制御装置の広告表示システムに関する。
【背景技術】
【０００２】
従来、鉄道などの交通機関では、駅の改札口などに通行制御装置としての自動改札機を設置し、上記自動改札機により利用者が所持している記憶媒体としての乗車券に記憶されている情報に基づいて当該利用者の通行制御が行われている。近年では、上記のような駅の改札口に設置されている自動改札機には、筐体に広告などの宣伝用のシールを貼り付けられることが多くなってきている。
【０００３】
しかしながら、従来のように、自動改札機の筐体に広告用のシール等を貼り付ける形態では、自動改札機の筐体に貼り付けられている広告用のシールを剥がしたり変更したりする場合、広告用のシールを剥がしたり、張り替えたりする手間がかかるとう問題点がある。この問題を解決するために、特開２０００−１１３２５４号公報に記載されているような広告表示用画面を設けた自動改札機が開発されている。しかし、このような自動改札機では、券取出口に対して利用者の進行方向奥側に広告表示用画面が設けられているため、広告表示用画面の大きさに制限がある。このため、大きな広告画面を設置できないため広告内容に制限ある。
【特許文献１】特開２０００−１１３２５４号公報
【発明の開示】
【発明が解決しようとする課題】
【０００４】
この発明は、上記のような問題点を解決するものであり、表示する広告内容に制限がなく、自由度の高い広告を表示することが可能な通行制御装置及び通行制御装置の広告表示システムを提供することを目的とする。
【課題を解決するための手段】
【０００５】
この発明の通行制御装置は、利用者に対する通行の制御を行うものにおいて、広告を表示する第１の表示手段と、この第１の表示手段とは別に設けられ、利用者に対して通行案内を表示する第２の表示手段と、利用者が所持している記録媒体に記憶されている情報を読み取る読取手段と、この読取手段により記録媒体から読み取った情報に基づいて当該利用者の通行の可否を判定し、この判定による判定結果に応じた案内を前記第２の表示手段に表示する制御手段と、前記第１の表示手段に表示すべき広告の表示データを記憶する記憶手段と、この記憶手段に記憶されている表示データを前記第１の表示手段に表示する表示制御手段とを具備し、前記表示制御手段は、前記制御手段により当該利用者の通行が不可と判断された場合には、前記第１の表示手段に当該利用者に対して通行が不可となった旨の案内を表示する。
【０００６】
この発明の通行制御装置の広告表示システムは、利用者に対する通行の制御を行う通行制御装置と前記通行制御装置に通信回線を介して接続されているサーバ装置とを有するものにおいて、前記通行制御装置は、広告を表示する第１の表示手段と、この第１の表示手段とは別に設けられ、利用者に対して通行案内を表示する第２の表示手段と、利用者が所持している記録媒体に記憶されている情報を読み取る読取手段と、この読取手段により記録媒体から読み取った情報に基づいて当該利用者の通行の可否を判定し、この判定による判定結果に応じた案内を前記第２の表示手段に表示する制御手段と、前記第１の表示手段に表示すべき広告の表示データが記憶されている記憶手段と、この記憶手段に記憶されている表示データを前記第１の表示手段に表示する表示制御手段と、前記サーバ装置から配信される広告の表示データを受信し、前記記憶手段に記憶する更新手段とを有し、前記サーバ装置は、前記通行制御装置にて表示する広告の表示データを前記通行制御装置へ配信する配信手段を有する。
【発明の効果】
【０００７】
この発明によれば、表示する広告内容に制限がなく、自由度の高い広告を表示することが可能な通行制御装置及び通行制御装置の広告表示システムを提供できる。
【発明を実施するための最良の形態】
【０００８】
以下、この発明の実施の形態について図面を参照して説明する。  
図１は、この発明の実施の形態に係る通行制御装置としての自動改札機１の外観構成を概略的に示す上面図である。この自動改札機１は、例えば、鉄道関係の駅の改札口等に設置され、利用者に対する入場業務あるいは出場業務を行うものである。自動改札機１は、例えば、２台１組で１つの改札用の通路を形成している。
【０００９】
この自動改札機１では、記録媒体としての乗車券に記録されている情報に基づいて通行の可否判定などを行うようになっている。また、上記自動改札機１では、有効期間や利用区間などの乗車券情報（改札情報）が記録されるＩＣメモリを有し、無線によるデータ通信が可能な無線式のＩＣカード（無線カード）、もしくは、有効期間や利用区間などの乗車券情報（改札情報）が記録される磁気記録部を有する磁気券が乗車券として用いられる。
【００１０】
上記自動改札機１の基本的な通行制御の動作としては、例えば、乗車券としての無線カードを所持する利用者が自動改札機１を通過する場合には、当該無線カードを自動改札機の所定の位置に翳すことにより、当該無線カードに記録されている乗車券情報を読み取り、改札結果としての情報を当該無線カードに書き込むようになっている。また、乗車券としての磁気券を所持する利用者が自動改札機１を通過する場合には、当該利用者が磁気券を自動改札機の投入口に投入することにより、自動改札機は、当該磁気券に記録されている乗車券情報を読み取り、必要に応じて改札結果としての情報を当該磁気券に書き込んで取出口から排出したり、当該磁気券を回収したりするようになっている。
【００１１】
上記自動改札機１の上面には、図１に示すように、磁気券投入口（投入口）１１、無線カードリーダライタ１２、投入口表示装置（投入口ＬＣＤ）１３、磁気券取出口（取出口）１４、取出口表示装置（取出口ＬＣＤ）１５などが利用者の進行方向に対して順に設けられている。
【００１２】
上記磁気券投入口１１は、利用者が所持している乗車券としての磁気券が投入される投入口である。上記磁気券投入口１１は、投入された磁気券を当該自動改札機の筐体内に取込む取込手段として機能する。上記無線カードリーダライタ１２は、利用者が所持している乗車券としての無線カードとの無線通信を行うユニットである。上記無線カードリーダライタ１２は、利用者が提示した無線カードとの無線通信によって無線カードに記録されている乗車券情報の読み取る読取手段および無線カードに情報を書き込む書込手段として機能する。
【００１３】
上記投入口表示装置１３は、例えば、ＶＧＡ等に所定の規格に応じたカラー画像の表示が可能なカラー液晶表示装置により構成され、当該自動改札機１を利用する利用者が目視しやすい位置に設けられる。図１に示す例では、上記投入口表示装置１３は、投入口１１に磁気券を投入する利用者あるいは無線カードリーダライタ１２に無線カードを翳す利用者が目視しやすいように、利用者の進行方向に対して投入口１１及び無線カードリーダライタ１２の前方に設けられている。また、投入口表示装置１３の大きさは、自動改札機１の上面に設置できる大きさであれば良い。上記投入口表示装置１３には、利用者に対する広告あるいは利用案内などを表示する表示手段として機能する。
【００１４】
上記磁気券取出口１４は、利用者が投入した乗車券としての磁気券が排出される取出口である。上記磁気券取出口１４は、処理済みの磁気券を当該自動改札機の筐体内で処理済みの磁気券を利用者に返却するために当該磁気券を排出する排出手段として機能する。
【００１５】
上記取出口表示装置１５は、例えば、ＶＧＡ等に所定の規格に応じたカラー画像の表示が可能なカラー液晶表示装置にて構成され、当該自動改札機１を通過する利用者が目視しやすい位置に設けられる。図１に示す例では、上記取出口表示装置１５は、取出口１４から磁気券を受取る利用者が目視しやすいように、利用者の進行方向に対して取出口１４の前方に設けられている。上記取出口表示装置１５は、当該自動改札機を通過する利用者に対する利用案内などを表示する表示手段として機能する。
【００１６】
また、上記自動改札機１には、利用者を検知するための複数のセンサ（図示しない）が設けられている。例えば、自動改札機１を形成する筐体の通路側の側面には、当該自動改札機を通過中の利用者（通路内の人間）の位置を検知するための人間検知センサ（図示しない）が設けられ、自動改札機１を形成する筐体の利用者が進入する側の側面には、当該自動改札機１に接近してきた利用者を検知する接近センサ（図示しない）が設けられている。また、上記自動改札機１には、出口近傍の通路側の側面に通路を通過しようとしている利用者の通行（通過）を阻止するためのドアが設けられている。このドアは、利用者が提示した乗車券（磁気券あるいは無線カード）の通行判定の結果、及び、図示しない人間検知センサの検知結果などにに基づいて開閉制御されるようになっている。
【００１７】
次に、自動改札機１と自動改札機を含む広告表示システムの構成について説明する。  
図２は、上記自動改札機１と自動改札機を含む広告表示システムの構成例を概略的に示すブロック図である。  
まず、自動改札機１の制御系統の構成例について説明する。上記自動改札機１の制御系統は、図２に示すように、主制御部２１、磁気券処理部２２、無線カードリーダライタ１２、表示ＣＰＵ２３、投入口表示装置１３、取出口表示装置１５、センサ２４などから構成されている。
【００１８】
例えば、上記主制御部２１と磁気券処理部２２、上記主制御部２１と無線カードリーダライタ１２、および、上記主制御部２１と表示ＣＰＵ２３などは、シリアルラインにて接続されており、上記主制御部２１と取出口表示装置１５、および、上記表示ＣＰＵ２３と投入口表示装置１３は、ＶＧＡなどの規格に応じて接続されている。
【００１９】
上記主制御部２１は、自動改札機１全体の制御を司るものである。上記主制御部２１は、制御プログラムに基づいて種々の処理を実行するＣＰＵ、ＣＰＵにより実行される制御プログラムや制御データなどが記憶されているＲＯＭ、一時的に作業用のデータなどを記憶するＲＡＭ、通行判定の基準となる運賃データなどが記憶される不揮発性メモリなどにより構成されている。また、上記主制御部２１は、上記取出口表示装置１５の表示を制御する表示制御機能も有している。ここでは、上記主制御部２１は、１つの表示装置に対する表示制御を行う機能を有しているものとする。
【００２０】
上記磁気券処理部２２は、上記投入口１１に投入された磁気券に対する処理を行うものである。上記磁気券処理部２２は、上記投入口１１に投入された磁気券を上記取出口１４に排出するまでの磁気券の搬送機構、搬送機構により搬送される磁気券に記録されている磁気情報の読取機構、搬送機構により搬送される磁気券にデータを書き込む書込機構、搬送機構により搬送される磁気券の券面に印字を行う印字機構などを有している。
【００２１】
上記無線カードリーダライタ１２は、利用者が所持する乗車券としての無線カードとの通信を行うためのアンテナや通信制御回路を有している。例えば、上記無線カードリーダライタ１２は、所定の通信領域に応答要求を出力し、その応答要求に応答した上記通信領域内の無線カードとの無線通信を確立するようになっている。また、無線カードからの乗車券情報を読取、あるいは、無線カードへの情報の書込などは、上記無線カードリーダライタ１２からのコマンドに基づいて実行されるようになっている。
【００２２】
上記表示ＣＰＵ２３は、上記投入口表示装置１３の表示制御を行うものである。上記表示ＣＰＵ２３は、表示データを記憶するメモリ２３ａを有し、上記主制御部２１からの指示に応じて上記メモリ２３ａに記憶されている表示データを上記投入口表示装置１３に表示する機能を有している。また、上記表示ＣＰＵ２３は、後述するサーバ３１とのデータ通信を行うインターフェースなども有している。
【００２３】
上記センサ２４は、上述しように自動改札機１を形成する筐体の各所に設けられる人間を検知するセンサである。上記センサ２４は、検知結果を上記主制御部２１に出力するようになっている。例えば、上記センサ２４のうち当該自動改札機１に接近してきている人間を検知する近接センサの検知出力に基づいて、上記主制御部２１は当該自動改札機１に人間（利用者）が接近してきていることを判断するようになっている。
【００２４】
次に、自動改札機１を含む広告表示システムの構成例について説明する。上記広告表示システムは、図２に示すように、上記自動改札機１にサーバ３１が接続されており、そのサーバ３１には、ネットワーク３２を介してＰＣ３３が接続されている。
【００２５】
上記サーバ３１は、制御部４１、種々の記憶装置４２および通信インターフェース４３、４４などを有するサーバコンピュータなどにより構成される。上記サーバ３１の制御部４１は、ＣＰＵや各種のメモリにより構成され、上記メモリあるいは記憶装置に記憶されている制御プログラムをＣＰＵが実行することによって、通信制御処理、判断処理、認証処理などを行う機能を有している。上記サーバ３１の記憶装置４２は、制御プログラムが記憶されたり、入力された表示データを記憶したりする。
【００２６】
上記サーバ３１の通信インターフェース４３は、上記自動改札機１とのデータ通信を行うものであり、図２に示す例では、自動改札機１内の表示ＣＰＵ２３と通信回線により接続され、ＴＣＰ／ＩＰなどの通信プロトコルに基づいてデータ通信を実現するようになっている。本実施の形態において、上記通信インターフェース４３は、自動改札機１内の表示ＣＰＵ２３に広告としての表示データを配信するインターフェースとして機能する。
【００２７】
上記通信インターフェース４４は、上記ネットワーク３２を介して外部装置とのデータ通信を行うものであり、図２に示す例では、ＴＣＰ／ＩＰなどの通信プロトコルに基づいて上記ネットワーク３２を介して上記ＰＣ３３との通信を行うようになっている。本実施の形態においては、上記通信インターフェース４４は、上記ネットワーク３２を介して上記ＰＣ３３からの広告用の表示データなどを受信するインターフェースとして機能する。
【００２８】
また、上記ネットワーク３２は、例えば、インターネット等の広域のネットワークであり、上記ＰＣ３３は、上記自動改札機１の投入口表示装置１３に表示する広告としての表示データを配信するコンピュータである。上記ＰＣ３３は、例えばネットワーク３２を介して上記サーバ３１とのデータ通信を行う機能を有するパーソナルコンピュータにより構成される。また、本実施の形態においては、上記ＰＣ３３は、当該自動改札機１に広告を表示する広告主が利用する外部装置として機能する。例えば、当該自動改札機１を運営する鉄道会社と当該自動改札機１に広告を提供する広告主とが事前に取り決め（契約）を行って、その契約に基づいて広告主のＰＣ３３がサーバ３１を経由して自動改札機１へ広告が配信できるようになっている。
【００２９】
次に、上記投入口表示装置１３に表示する表示内容について説明する。  
上記投入口表示装置１３には、当該自動改札機１の通常時には動画などの広告が表示され、当該自動改札機１の異常時には異常内容等を示す異常案内が表示される。すなわち、利用者が提示した無線カードあるいは磁気券が乗車券として有効なものである場合（あるいは、当該利用者の通行が許可であると判定された場合）、上記投入口表示装置１３には、広告が表示され、利用者が提示した無線カードあるいは磁気券が乗車券として有効なものでない場合（あるいは当該利用者の通行が不可であると判定された場合）、上記投入口表示装置１３には、異常内容（例えば、通行が不可とされた理由）が表示される。
【００３０】
これにより、通常時には、利用者に広告を提供でき、異常時には、当該利用者に対して即座に異常内容を報知することができる。例えば、利用者が誤って乗車券と無効なカードや券を提示した場合、当該利用者は、投入口１１あるいは無線カードリーダライタ１２の近傍に設けた投入口表示装置１３に表示される異常内容によって誤った券を提示したことを即座に認識することができる。
【００３１】
また、上記投入口表示装置１３には、上記表示ＣＰＵ２３の表示制御により上記表示ＣＰＵ２３内のメモリ２３ａに記憶されている表示データが表示される。例えば、異常時（無効な券が提示された場合など）には、上記表示ＣＰＵ２３は、上記主制御部２１からの異常内容の通知に基づいて異常内容に応じた表示データが判断し、その判断に応じた表示データを上記投入口表示装置１３に表示するようになっている。また、通常時には、上記表示ＣＰＵ２３は、上記主制御部２１からの通知に基づいて表示すべき広告を判断し、その表示すべきであると判断した広告の表示データを上記投入口表示装置１３に表示するようになっている。
【００３２】
次に、上記投入口表示装置１３に表示する広告について説明する。  
上記投入口表示装置１３に表示する広告は、上述したように、上記表示ＣＰＵ２３の表示制御により上記表示ＣＰＵ２３内のメモリ２３ａに記憶されている広告としての表示データに基づいて表示される。なお、本実施の形態において、上記投入口表示装置１３に表示される広告は、動画にて表示されるものとするが、静止画の広告であっても同様に実現できる。
【００３３】
上記メモリ２３ａに記憶される動画広告としての表示データは、例えば、動画を構成する各コマ画像のビットマップデータ、総コマ数、コマ送り時間などから構成される。この場合、上記表示ＣＰＵ２３では、表示すべき広告の表示データにおけるコマ送り時間に応じて各コマの画像（ビットマップデータ）を上記投入口表示装置１３に表示することにより動画広告の表示制御を行う。
【００３４】
また、上記投入口表示装置１３に表示する広告は、常に特定の広告を表示することも可能であるが、種々の広告を選択的に切替えて表示することも可能である。すなわち、上記メモリ２３ａには複数種類の表示データを記憶することが可能となっており、上記投入口表示装置１３には上記表示ＣＰＵ２３の制御によって複数種類の広告を選択的に表示することが可能である。従って、上記投入口表示装置１３に表示する広告は、当該自動改札機１における広告の運用の形態に応じて種々の広告を選択的に表示することができる。この場合、上記表示ＣＰＵ２３は、運用形態に種々の条件に応じて表示すべき広告を選択し、その選択した広告の表示データを上記投入口表示装置１３に表示する。
【００３５】
例えば、第１の運用の形態としては、自動改札機１を利用している利用者の性別や年齢等の情報（利用者の属性情報）に応じて選択的に広告を表示するようにしても良い。上記のように自動改札機１では、利用者が提示する乗車券（無線カードあるいは磁気券）によって当該利用者の性別あるいは年齢が判定可能な場合がある。このような場合、例えば、男性用の広告の表示データ、女性用の広告の表示データ、子供用の広告の表示データなどを上記メモリ２３ａに記憶しておき、利用者が提示した乗車券から判定した当該利用者の性別や年齢に応じた広告の表示データを選択し、その選択した表示データを上記投入口表示装置１３に表示するように刷れば良い。これにより、利用者の性別や年齢に応じた広告を上記投入口表示装置１３に表示することが可能となる。
【００３６】
また、第２の運用の形態としては、曜日や時刻などに応じて選択的に広告を表示するようにしても良い。これは、上記自動改札機１に曜日や時刻などを判定するためのクロック（図示しない）を設け、現在の曜日や時刻を判定することにより実現可能である。このような場合、例えば、曜日ごとの広告の表示データ、あるいは、時間帯ごとの広告の表示データなどを上記メモリ２３ａに記憶しておき、上記自動改札機１内に設けたクロックが計時する曜日や時刻に応じた広告の表示データを選択し、その選択した表示データを上記投入口表示装置１３に表示するようにすれば良い。
【００３７】
これにより、曜日や時刻に応じた広告を自動改札機１にて提供することが可能となる。具体例としては、通勤時間帯にはサラリーマンが興味を持つような広告を表示し、昼間の時間帯には主婦が興味を持つような広告を表示し、深夜の時間帯には酒やタバコなどの広告を表示することが可能である。また、平日には平日用の広告を表示し、休日には休日用の広告を表示することもできる。さらには、曜日ごとにその曜日に発売される週刊誌やその曜日に放映されるテレビ番組などの各曜日で特に宣伝したい広告を表示することも可能である。
【００３８】
また、第３の運用の形態としては、期間や時間帯ごとに当該自動改札機１の投入口表示装置１３を自由に広告ができるスペースとして広告主に提供することも可能である。これは、予め自動改札機１の運営者（例えば鉄道会社）と自動改札機１の投入口表示装置１３での広告を希望する広告主（例えば広告依頼会社）との間で、広告主が自動改札機１に広告を表示することが可能な期間や時間帯の取り決めを行っておき、その取り決めに従って特定の期間や時間帯について特定の広告主からのアップロードされる広告としての表示データを上記サーバ３１が受付け、受付けた表示データを当該自動改札機１へ配信するようにすればよい。
【００３９】
これにより、広告主は、事前の取り決めに基づいて特定の期間や時間帯に自動改札機１に表示させる広告内容としての表示データを自由に変更することが可能となる。また、自動改札機１の運営者は、広告内容を変更する手間をかけずに、広告主から事前に取り決めた期間や時間帯、さらには、実際に表示した時間、に応じた広告料収入を得ることが可能となる。
【００４０】
次に、上記自動改札機１における広告の表示手順について説明する。  
図３は、上記自動改札機１における広告の表示手順を説明するためのフローチャートである。なお、ここでは、利用者の性別及び年齢に応じた広告を表示する運用の形態の動作例について説明するものとする。
【００４１】
まず、上記主制御部２１は、上記センサ２４により当該自動改札機に接近してきた人間（利用者）が存在すると判断した場合（ステップＳ１１、ＹＥＳ）、上記表示ＣＰＵ２３に対して広告を上記投入口表示装置１３に表示する旨を指示する（ステップＳ１２）。なお、人間の接近の有無にかかわらずに、常に、上記投入口表示装置１３に広告を表示させておくようにしても良い。
【００４２】
上記主制御部２１から広告の表示指示を受けると、上記表示ＣＰＵ２３では、予め上記メモリ２３ａに記憶されている広告としての表示データからデフォルト設定の広告としての表示データを選択し（ステップＳ１３）、選択した表示データを上記投入口表示装置１３に表示する（ステップＳ１４）。この段階では、利用者が提示する乗車券に基づく利用者の性別及び年齢が不明であるため、上記表示ＣＰＵ２３は、デフォルト設定の広告としての表示データを選択して上記投入口表示装置１３に表示するものとする。
【００４３】
なお、期間や時刻によって表示する広告を変更する運用の形態においては、上記ステップＳ１３の段階で期間や時刻などが判定され、その判定した期間や時刻に応じた広告としての表示データが選択され、上記投入口表示装置１３に表示されるようにすれば良い。
【００４４】
このような状態において、当該自動改札機１に接近してきた利用者が乗車券としての磁気券を上記投入口１１に投入した場合（ステップＳ１５、ＹＥＳ）、上記磁気券処理部２２は、当該磁気券から記録内容（少なくとも乗車券情報を含む利用者情報）を読み取り（ステップＳ１６）、読み取った内容を上記主制御部２１へ供給する。また、当該自動改札機１に接近してきた利用者が乗車券としての無線カードを上記無線カードリーダライタ１２の通信領域に翳した場合（ステップＳ１５、ＹＥＳ）、上記無線カードリーダライタ１２は、当該無線カードから記録内容（少なくとも乗車券情報を含む利用者情報）を読み取り（ステップＳ１６）、読み取った内容を上記主制御部２１へ供給する。
【００４５】
上記磁気券処理部２２あるいは無線カードリーダライタ１２から乗車券としての磁気券あるいは無線カードから読み取った情報を受信すると、上記主制御部２１は、当該利用者が提示した乗車券から読み取った乗車券情報に基づいて当該利用者の通行の可否を判定する（ステップＳ１７）。
【００４６】
この通行判定により当該利用者の通行を不可と判定した場合（ステップＳ１８、ＮＯ）、上記主制御部２１は、図示しないドアを閉鎖して当該利用者の通行を阻止するとともに、異常内容としての当該利用者の通行を不可とした理由（例えば、乗車券が無効券、区間が無効など）を上記表示ＣＰＵ２３へ通知する（ステップＳ１９）。
【００４７】
この異常内容を示す通知を受けた表示ＣＰＵ２３は、上記投入口表示装置１３に表示する異常案内としての当該異常内容に応じた表示データを選択し（ステップＳ２０）、選択した表示データを上記投入口表示装置１３に表示する（ステップＳ２１）。これにより、当該利用者は、投入口表示装置１３にて即座に通行が不可となった理由を認識することができる。
【００４８】
なお、上記のような上記投入口表示装置１３の異常案内は、上記センサ２４の検知結果に基づいて当該自動改札機１が形成する通路から当該利用者が退場したと判断するまで表示される（ステップＳ２６、ＮＯ）。この場合、上記主制御部２１は、当該利用者が退場したと判断した際に（ステップＳ２６、ＹＥＳ）、上記ステップＳ１１へ戻るようになっている。
【００４９】
また、上記通行判定により当該利用者の通行を可と判定した場合（ステップＳ１８、ＹＥＳ）、上記主制御部２１は、当該利用者が提示した乗車券から読み取った情報に基づいて当該利用者の性別及び年齢を判定する（ステップＳ２２）。なお、乗車券から当該利用者の性別及び年齢が判定できない場合、後述するステップＳ２３〜Ｓ２５は省略され、上記ステップＳ１４で表示した広告がそのまま表示されるようになっている。
【００５０】
上記判定により当該利用者の性別及び年齢を判定すると、上記主制御部２１は、当該利用者の性別及び年齢を上記表示ＣＰＵ２３へ通知する（ステップＳ２３）。この通知を受けた表示ＣＰＵ２３は、当該利用者の性別及び年齢に応じた広告としての表示データを選択し（ステップＳ２４）、選択した表示データを上記投入口表示装置１３に表示する（ステップＳ２５）。これにより、上記投入口表示装置１３には、当該利用者の性別及び年齢に応じた広告を表示することができる。
【００５１】
なお、広告として表示すべき表示データを選択するための利用者の性別や年齢等の判定（利用者の属性の判定）は、上記表示ＣＰＵ２３が行うようにしても良い。これは、上記磁気券処理部２２あるいは無線カードリーダライタ１２が乗車券から読み取った情報を上記表示ＣＰＵ２３にも供給することにより実現できる。
【００５２】
このような上記投入口表示装置１３の広告は、上記センサ２４の検知結果に基づいて当該自動改札機１が形成する通路から当該利用者が退場したと判断するまで表示される（ステップＳ２６、ＮＯ）。この場合、上記主制御部２１は、当該利用者が退場したと判断した際に（ステップＳ２６、ＹＥＳ）、上記ステップＳ１１へ戻るようになっている。
【００５３】
上記のように、上記自動改札機１では、利用者に対して通行案内を表示する取出口表示装置１５とは別に投入口表示装置１３を設け、主制御部２１にて乗車券から読み取った情報に基づく通行の可否判定を行ってその判定結果を上記取出口表示装置１５に案内表示するとともに、表示ＣＰＵ２３にてメモリ２３ａに予め記憶されている広告としての表示データを上記投入口表示装置１３に表示するようにしたものである。これにより、自動改札機にて自由度の高い広告を表示することができ、さらに、広告内容の変更を容易に行うことができる。
【００５４】
さらに、上記自動改札機１では、上記投入口表示装置に動画の広告を表示するようにしたものである。これにより、自動改札機１に情報量が多く、かつ、宣伝効果の高い内容の広告を表示することが可能となる。
【００５５】
さらに、上記自動改札機１では、利用者が提示した乗車券に基づいて通行が不可と判定された場合には上記投入口表示装置１３に通行が不可となった理由等を表示するようにしたものである。これにより、投入口表示装置を用いて、広告だけでなく、自動改札機が形成する通路に進入してきた直後の利用者に対して、即座に、通行が不可となった旨を大きな表示装置を使用して大きな文字などで認識し易く報知することができる。
【００５６】
さらに、上記自動改札機１では、広告としての表示データが複数記憶されている場合、種々の条件に基づいて表示すべき広告を選択し、その選択した広告の表示データを上記投入口表示装置に表示するようにしたものである。これにより、種々の条件に応じた広告を表示することができ、その結果として宣伝効果が高く、自由度の高い広告を提供することができる。
【００５７】
さらに、上記自動改札機１では、利用者が提示した乗車券から読み取った情報により利用者の性別や年齢などの属性を判定し、当該利用者の属性に応じた広告を選択し、その選択した広告の表示データを上記投入口表示装置に表示するようにしたものである。これにより、自動改札機を利用している利用者に適した広告を選択的に表示することができ、その結果として宣伝効果が高く、自由度の高い広告を提供することができる。
【００５８】
次に、上記サーバ３１からの通行制御装置１への広告としての表示データの配信について説明する。  
まず、上記通行制御装置１にて表示する広告の表示データを上記サーバ３１から配信して表示データの変更あるいは新規登録を行う場合について説明する。図４は、サーバ３１が自動改札機１へ広告としての表示データを配信する配信処理と、自動改札機１がサーバ３１からの広告としての表示データを変更及び登録を説明するためのフローチャートである。
【００５９】
まず、上記サーバ３１が自動改札機１へ広告としての表示データを配信する配信処理として、上記サーバ３１では、オペレータによる操作によって図示しない入力部から表示データを取得したり、あるいはネットワーク経由で外部装置から供給される表示データを取得したりする（ステップＳ３１）。上記自動改札機１にて表示する広告としての表示データを取得すると、上記サーバ３１の制御部４１は、取得した表示データが上記自動改札機１にて表示する表示データとして適切なものであるか否かをチェックする（ステップＳ３２）。この表示データのチェックは、上記自動改札機１の投入口表示装置１３にて表示する表示データの条件を記憶装置に記憶しておき、その条件に取得した表示データが一致するか否かにより判定される。例えば、表示データのチェックでは、取得した表示データのフォーマットが適切なフォーマットであるか否かなどが判定される。
【００６０】
上記チェックによって取得した表示データが自動改札機１にて表示する表示データとして適切なものでないと判定した場合（ステップＳ３２、ＮＯ）、上記サーバ３１の制御部４１は、当該表示データを適切なものに変換する旨を表示データの供給元としてのオペレータあるいは外部装置へ報知し、上記ステップＳ３１へ戻る。
【００６１】
また、上記チェックによって取得した表示データが自動改札機１にて表示する表示データとして適切なものであると判定した場合（ステップＳ３２、ＹＥＳ）、上記サーバ３１の制御部４１は、通信インターフェース４３により当該表示データを自動改札機１へ配信する（ステップＳ３３）。この際、上記サーバ３１の制御部４１は、当該表示データとともに、当該表示データが新規に登録するもの（新規登録用の表示データ）であるか、既存の表示データに代えて表示するもの（変更用の表示データ）であるかなどの当該表示データに関する添付情報を自動改札機１へ転送する。
【００６２】
これに対して、自動改札機１では、上記表示ＣＰＵ２３内のインターフェース２３ｂにより上記サーバ３１から配信された広告としての表示データと当該表示データの添付情報を受信する（ステップＳ３４）。上記表示データ及び添付情報を受信すると、上記自動改札機１の表示ＣＰＵ２３は、当該表示データの登録処理あるいは更新処理を行う（ステップＳ３５）。例えば、上記サーバ３１から受信した表示データで既存の表示データを更新する場合（広告の変更を行う場合）、上記表示ＣＰＵ２３は、上記メモリ２３ａに記憶されている表示データのうち更新の対象となる表示データに対して上記サーバ３１から受信した表示データを上書き処理する。また、上記サーバ３１から受信した表示データを新規に登録する場合（広告を追加する場合）、上記表示ＣＰＵ２３は、上記メモリ２３ａに上記サーバ３１から受信した表示データを追加記憶する。なお、当該表示データを表示する条件（年齢、性別、あるいは表示時間帯等）を設定する場合、その条件を示す情報も当該表示データとともに上記メモリ２３ａに記憶する。
【００６３】
上記のような登録処理あるいは更新処理が完了した場合、上記自動改札機１の表示ＣＰＵ２３は、登録あるいは更新が完了したことを示す通知を上記サーバ３１へ送信する（ステップＳ３６）。これに対して、上記サーバ３１では、表示データを自動改札機１へ配信した後、当該自動改札機１からの表示データの登録あるいは更新が完了した旨の通知を受信し（ステップＳ３７）、広告の配信処理を終了する。
【００６４】
上記のように、上記サーバ３１では、自動改札機１にて表示する広告としての表示データを取得して自動改札機１へ配信し、自動改札機１では、サーバ３１から受信した広告としての表示データをメモリ２３ａに登録したり、サーバ３１から受信した表示データに本基づいてメモリ２３ａに記憶されている広告としての表示データを更新したりするようにしたものである。これにより、自動改札機にて表示する広告をサーバから配信することができ、広告の追加登録や変更などをオンラインで行うことができ、広告内容の変更を容易に行うことができる。
【００６５】
次に、上記ＰＣ３３からの表示データを上記通行制御装置１にて表示する広告の表示データとして配信する場合について説明する。
【００６６】
ここでは、上述した第３の運用の形態のように、事前の取り決めに従って、特定の広告主が特定の時間帯に表示する広告を自動改札機１へ自由に配信できるような運用形態を想定して説明する。図５は、ＰＣ３３がサーバ３１へ広告としての表示データをアップロードするアップロード処理と、サーバ３１がＰＣ３３からの広告としての表示データを受付ける受付処理とを説明するためのフローチャートである。
【００６７】
まず、広告主のＰＣ３３では、広告としての表示データを自動改札機１へ配信するための認証データを上記ネットワーク３２を介して上記サーバ３１へ送信する。この認証データは、自動改札機１の運営者と広告主との事前の取り決めで決められる情報であり、例えば、ユーザＩＤ及びパスワードの組み合わせなどにより構成される。つまり、上記認証データによって当該ＰＣ３３あるいは当該ＰＣ３３を操作している者が広告を自動改札機１へ配信する権限を有する広告主であることか否かが上記サーバ３１にて認証される。
【００６８】
これに対して、上記サーバ３１では、上記ネットワーク３２を介して上記ＰＣ３３からの認証データを通信インターフェース４４により受信し、上記制御部４１により上記通信インターフェース４４にて受信した認証データに基づいて認証処理を行う（ステップＳ４２）。この認証処理の結果は、上記サーバ３１の通信インターフェース４４により当該ＰＣ３３へ送信されるようになっている（ステップＳ４３）。上記認証処理は、例えば、自動改札機１の運営者と広告主との事前の取り決めで決められる認証データをサーバ３１内の記憶装置に記憶しておき、その認証データとＰＣ３３から受信した認証データとを照合することにより実現される。
【００６９】
上記サーバ３１からの認証結果を受信すると（ステップＳ４４）、上記ＰＣ３３では、認証結果に基づいて表示データのサーバ３１へのアップロードが可能か否かを判断する（ステップＳ４５）。例えば、上記認証結果として認証された旨の通知を受けた場合にはサーバ３１への表示データのアップロードが可能であると判断し、認証されなかった旨の通知を受けた場合にはサーバ３１への表示データのアップロードを不可と判断するものである。
【００７０】
ここで、上記サーバ３１から認証されなかった旨の通知を受けた場合（アップロードが不可であると判断した場合）（ステップＳ４５、ＮＯ）、上記ＰＣ３３は、上記ステップ４１へ戻り、上記サーバ３１への認証データの再送信を行ったり、当該処理を終了したりする。
【００７１】
また、上記サーバ３１から認証された旨の通知を受信した場合（アップロードが可能であると判断した場合）（ステップＳ４５、ＹＥＳ）、上記ＰＣ３３は、オペレータの操作に基づいて表示データを取得し、取得した表示データを上記サーバ３１へアップロード（転送）する（ステップＳ４７）。
【００７２】
上記サーバ３１では、認証済みのＰＣ３３からの表示データを受信すると（ステップＳ４８）、上述したようなサーバ３１による自動改札機１への広告の配信処理を行う（ステップＳ４９）。このステップＳ４９の広告の配信処理は、上記ステップＳ３１〜Ｓ３７で説明した処理である。これにより、上記サーバ３１では上記ＰＣ３３からの広告としての表示データを自動改札機１へ配信し、上記自動改札機１では上記ＰＣ３３からの広告としての表示データをサーバ３１で受信して表示データの登録あるいは更新を行う。
【００７３】
このＰＣ３３からアップロードされた広告としての表示データの配信処理等が完了すると、上記サーバ３１の制御部４１は、上記通信インターフェース４４により上記ＰＣ３３に対して処理完了の通知を送信する（ステップＳ５０）。この処理完了の通知をサーバ３１から受信することにより（ステップＳ５１）、上記ＰＣ３３では、広告としての表示データのアップロード処理を終了する。
【００７４】
上記のように、サーバ３１ではネットワーク３２を介して通信可能な広告主のＰＣ３３から広告としての表示データを受付ける受付処理を行い、この受付処理にて受付けた広告としての表示データを自動改札機１へ配信するようにしたものである。これにより、広告主は、ネットワークを介して広告としての表示データを簡単にアップロードすることができ、広告主による広告内容の変更や登録などが容易に実施することができる。また、自動改札機１の運営者は広告としての表示データを自動改札機１へ配信する手間をかけることなく、効率的に自動改札機１での広告表示を提供できる。
【図面の簡単な説明】
【００７５】
【図１】本発明の実施の形態に係る自動改札機の外観構成を示す外観図。
【図２】自動改札機と自動改札機を含む広告表示システムの構成例を示すブロック図。
【図３】自動改札機が広告を表示する表示手順を説明するためのフローチャート。
【図４】サーバが自動改札機へ広告としての表示データを配信する配信処理と、自動改札機がサーバからの広告としての表示データを登録あるいは変更する処理を説明するためのフローチャート。
【図５】ＰＣがサーバへ広告としての表示データをアップロードするアップロード処理と、サーバがＰＣからの広告としての表示データを受付ける受付処理とを説明するためのフローチャート。
【符号の説明】
【００７６】
１…自動改札機（通行制御装置）、１１…投入口、１２…無線カードリーダライタ（読取手段）、１３…投入口表示装置（第１の表示手段）、１４…取出口、１５…取出口表示装置（第２の表示手段）、２１…主制御部（制御手段）、２２…磁気券処理部（読取手段）、２３…表示ＣＰＵ（表示制御手段）、２３ａ…メモリ（記憶手段）、２４…センサ、３１…サーバ、３２…ネットワーク、３３…ＰＣ、４１…制御部、４３…通信インターフェース、４４…通信インターフェース
【図１】
2006011655.tif 000003
【図２】
2006011655.tif 000004
【図３】
2006011655.tif 000005
【図４】
2006011655.tif 000006
【図５】
2006011655.tif 000007